(57)【要約】      （修正有）【課題】トイガンにおいて本物の銃の動作を模擬することができる、射撃訓練用実物模擬構造を提供する。【解決手段】射撃訓練用実物模擬構造１は、前記実物模擬構造が銃身２内に設置され、前記銃身内に電源の導通に用いる第一導体２１と第二導体２２が設置され、且つ実物模擬構造１が棒体３、導電体４、ブロック片５を含み、棒体３の上端に嵌合部３１が設けられ、導電体４は第一導体２１と第二導体２２を電気的に接続することができ、ブロック片５は銃身２内で移動することができ、上述の構造により新しいマガジン６に交換し、且つ最後の一発の弾丸を射撃した後、再度ハンドル２５を引いて第一導体２１と第二導体２２を電気的に導通させる必要があり、従来のトイガンにおいて電源が恒常的に供給されている問題を改善し、本物の銃の作動方式を模擬して射撃訓練を行うという実用性と進歩性を備えている。【選択図】図４
0003144794.tif 000002
【実用新案登録請求の範囲】
【請求項１】
射撃訓練用実物模擬構造であって、前記実物模擬構造が銃身内に設置され、前記銃身内に電源の導通に用いる第一導体と第二導体が設置され、且つ前記実物模擬構造が、棒体、導電体、ブロック片を含み、前記棒体が前記銃身内に旋設され、前記棒体の上端に嵌合部が設けられ、且つ下端にフランジ部が設けられ、前記導電体は前記第一導体と前記第二導体を電気的に接続することができ、前記導電体は孔部が設けられ、前記孔部内にねじりバネが収容され、且つ前記導電体の前記孔部と前記ねじりバネに前記棒体が穿置され、前記導電体が前記棒体に固定され、前記導電体の壁面に接触端と抵触端が設けられ、前記ブロック片は前記銃身内で移動することができ、且つ前記ブロック片は移動して前記接触端に抵触し、固定することができることを特徴とする、射撃訓練用実物模擬構造。
【請求項２】
前記導電体が固定棒で前記棒体に固定されることを特徴とする、請求項１に記載の射撃訓練用実物模擬構造。
【請求項３】
前記ブロック片が軸心上に設置され、且つ前記軸心が座体に固定され、前記銃身に２つの柱体と横棒が設置され、前記座体に前記柱体が穿置されることを特徴とする、請求項１に記載の射撃訓練用実物模擬構造。 
【請求項４】
前記ねじりバネの一端が前記銃身に固定され、他端が前記導電体に固定されることを特徴とする、請求項１に記載の射撃訓練用実物模擬構造。
【考案の詳細な説明】
【技術分野】
【０００１】
本考案はトイガンの実物模擬構造に関し、特に、射撃訓練に用いることができる射撃訓練用実物模擬構造に関する。
【背景技術】
【０００２】
サバイバルゲームはすでに現在人々が楽しむレジャー活動となっており、人々はトイガンを使用してリアルな戦場を模擬して遊んだり、他人と共同でチームゲームとして遊んだりしてゲーム感覚を育成し、娯楽効果を達している。
【０００３】
本物の銃は、射撃時にまずマガジンに装弾してからハンドルを引いて弾丸をロードし、マガジンの弾丸を発射し終えずにマガジンを取り外すと、弾丸がチャンバ内に一発残り、また残った弾丸を発射した後、マガジンを取り付けるときは、再度ハンドルを引いて弾丸をロードする必要がある。
【０００４】
トイガンは通常電力をその動力ソースとしており、電力で銃身内のモーターを駆動してその動力源とし、さらに歯車の組み合わせで伝動し、弾丸を発射する効果を達している。射撃時はハンドルを一回引くだけで、トイガンは電源が恒常的に供給され、射撃を持続させることができる。
【０００５】
しかしながら、上述のトイガンはその使用時に次のような問題と欠点が確実に存在し、改善が待たれている。従来のトイガンは電力を利用してその動力ソースとしているため、新しいマガジンに交換した後ハンドルを引かなくても連続射撃効果が達せられるため、本物の銃と操作効果が異なるという問題が生じる。
【０００６】
このため、上述の従来の問題と欠点を解決するかが本考案の考案者と関連産業に従事するメーカーが改善を図る方向性である。
【考案の開示】
【考案が解決しようとする課題】
【０００７】
本考案の考案者は上述の欠点に鑑みて、関連資料を収集し、多方面での評価と考慮を経て、関連産業に従事した長年の経験に基づき試作と修正を重ね、この射撃訓練に用いることができる射撃訓練用実物模擬構造の実用新案の開発に至ったものである。
【０００８】
本考案の主な目的は、従来のトイガンにおいて電源が恒常的に供給されているという問題点を打破し、本物の銃の動作を模擬した、射撃訓練用実物模擬構造を提供することにある。
【課題を解決するための手段】
【０００９】
本考案の実物模擬構造は銃身内に設置され、銃身内には電源の導通に用いる第一導体と第二導体が設置され、且つ前記実物模擬構造は棒体、導電体、ブロック片を含み、そのうち、前記棒体は前記銃身内に旋設され、前記棒体は上端に嵌合部を備え、下端にフランジ部が設けられ、前記導電体は前記第一導体と前記第二導体を電気的に接続することができ、前記導電体に孔部が設けられ、前記孔部内にねじりバネが収容され、且つ前記導電体の前記孔部と前記ねじりバネに前記棒体が穿置され、前記導電体は固定棒で前記棒体に固定され、さらに前記導電体は壁面に接触端と抵触端が設けられ、前記ブロック片は移動して前記接触端に抵触して固定することができ、使用者がマガジンを銃身に取り付けると、マガジンが棒体を上に向かって押し上げ、このとき前記導電体が前記第一導体と電気的に接続され、また使用者がハンドルを引いてハンドルバーを移動させると、ハンドルバーが前記抵触端を押し動かして前記接触端と前記第二導体が電気的に接続され、且つ同時にブロック片が前記接触端を固定し、このとき前記第一導体と前記第二導体の電気的接続が完了され、また使用者がマガジンを取り外すと、棒体の嵌合部がボルトに嵌合されるため、棒体が下降せず、使用者が最後の一発の弾丸を発射した後、ボルトの往復動作により棒体の嵌合部がボルトを離れて棒体が下降し、且つ導電体内のねじりバネにより導電体が下の方向へと旋回し、接触端が第二導体から離れ、同時に棒体の下降により、ブロック片が下方向へ移動して導電体の接触端を解放し、このとき銃身内の電源が切断され、使用者が新しいマガジンを取り付ける場合、ハンドルを再度引いてハンドルバーを作動させ、前記第一導体と前記第二導体に電気的に接続を形成させる必要があり、上述の技術により、従来のトイガンに存在する電源が恒常的に供給されているという問題点を打破し、本物の銃の動作を模擬するという実用性と進歩性が達せられる。
【考案の効果】
【００１０】
すべての図に示すように、本考案の使用時には従来技術と比較して次のような利点が確実に存在する。本考案の実物模擬構造１は銃身２内に設置され、前記銃身２内に電源の導通に用いる第一導体２１と第二導体２２が設置され、且つ前記実物模擬構造１は棒体３、導電体４、ブロック片５を含み、そのうち、前記棒体３は前記銃身２内に旋設され、かつ前記棒体３は上端に嵌合部３１を備え、前記導電体４は前記第一導体２１と前記第二導体２２を電気的に接続することができ、前記導電体４は前記棒体３に固定され、前記導電体４の壁面に接触端４３と抵触端４４が設けられ、前記ブロック片５は前記銃身２内で移動することができ、使用者がマガジン６を取り付けて途中まで射撃した後マガジン６を取り外した場合、このときまだ一発の弾丸がロードされており、最後の一発の弾丸を発射した後は、ボルト２６が往復動作を行うため、嵌合部３１がボルト２６を離れ、前記棒体３が下降して第一導体２１と第二導体２２が電気的に切断され、このとき新しいマガジン６を取り付けた場合、再度ハンドルを引く必要があるため、本考案は本物の銃の作動方式を模擬することができ、本物の銃を模擬して射撃訓練を行うという実用性と進歩性を備えている。
【考案を実施するための最良の形態】
【００１１】
上述の目的と効果を達するため、本考案が採用する技術手段及び構造について、以下本考案の最良の実施例に基づきその特徴と機能を詳細に説明する。
【００１２】
図１、図２、図３、図４に本考案の最良の実施例の立体図、立体分解図、側面図及び動作を示す立体図１をそれぞれ示す。これらの図からはっきりと分かるように、本考案の実物模擬構造１は銃身２内に設置され、前記銃身２内には電源の導通に用いる第一導体２１と第二導体２２が設置され、且つ前記実物模擬構造１は主に棒体３、導電体４、ブロック片５を含む。
【００１３】
前記棒体３は前記銃身２内に旋設され、前記棒体３は上端に嵌合部３１を備え、下端にフランジ部３２を備えている。
【００１４】
前記導電体４は前記第一導体２１と前記第二導体２２を電気的に接続することができ、前記導電体４は孔部４１が設けられ、前記孔部４１内にねじりバネ４２が収容され、前記ねじりバネ４２は一端が前記銃身２に固定され、他端が前記導電体４に固定され、且つ前記導電体４の前記孔部４１と前記ねじりバネ４２に前記棒体３が穿置され、また前記導電体４は固定棒４５で前記棒体３に固定され、さらに前記導電体４は壁面に接触端４３と抵触端４４が設けられる。
【００１５】
前記ブロック片５は前記銃身２内で移動することができ、且つ前記ブロック片５は軸心５１上に設置され、前記軸心５１は座体５２に固定され、前記銃身２には２つの柱体２３と横棒２４が設置され、前記座体５２が前記柱体２３に穿置される。
【００１６】
上述の構造、組み立て設計に基づき、本考案の使用作動状況について以下で説明する。図２、図４、図５に本考案の最良の実施例の立体分解図、動作を示す立体図１と２をそれぞれ示す。これらの図からはっきりと分かるように、マガジン６を取り付けるとき、マガジン６が棒体３を上に向かって押し上げ、このとき導電体４と第一導体２１が電気的に接続を形成し、また座体５２が前記柱体２３に穿置されており、且つ棒体３の下端にフランジ部３２が設けられているため、棒体３の上昇と同時にフランジ部３２を利用して座体５２を上に向かって押し上げることができる。
【００１７】
図２、図６、図７に本考案の最良の実施例の立体分解図、動作を示す立体図３と４をそれぞれ示す。これらの図からはっきりと分かるように、マガジン６を取り付けた後、使用者はハンドルを引いてハンドルバー２５に移動を形成する必要があり、前記導電体４が抵触端４４を備えているため、前記ハンドルバー２５が前記抵触端４４を一方向へ押し動かし、且つ導電体４が接触端４３を備えているため、前記導電体４は前記接触端４３により第二導体２２と電気的に接続を形成することができ、このとき第一導体２１と第二導体２２が導電体４により電気的に導通を形成する。さらに、ブロック片５が前記接触端４３に抵触して固定するため、第一導体２１と第二導体２２が電気的接続を保持することができ、このとき自由に射撃を行うことができる。
【００１８】
図２、図８、図９に本考案の最良の実施例の立体分解図、動作を示す立体図５と６をそれぞれ示す。これらの図からはっきりと分かるように、マガジン６を取り外した後、このときまだ一発の弾丸がロードされており、棒体３の上端に嵌合部３１が設けられているため、前記嵌合部３１が前記ボルト２６上に固定される。最後の一発の弾丸を発射するために引き金を引くと、前記ボルト２６が往復動作をして前記嵌合部３１がボルト２６を離れ、且つ導電体４に孔部４１が設けられており、孔部４１内にねじりバネ４２が収容され、前記ねじりバネ４２の一端が前記銃身２に固定され、他端が前記導電体４に固定されているため、前記ねじりバネ４２の弾性作動下で棒体３が旋回しながら降下し、このとき前記第一導体２１と前記第二導体２２が電気的に切断される。使用者がマガジン６を再度取り付けた後は、再度ハンドルを引いてハンドルバー２５を作動させる必要があり、本考案は本物の銃の作動方式を模擬する実用性と進歩性を備えている。
【００１９】
図２、図１０、図１１に本考案の最良の実施例の立体分解図、動作を示す立体図７と８をそれぞれ示す。これらの図からはっきりと分かるように、マガジン６内の弾丸を発射し終えたときは、前記マガジン６内の押し棒６１が弾性的に上昇し、且つ前記押し棒６１が弾性的に上昇すると、押し棒６１が前記ブロック片５を上方向に押して前記導電体４の接触端４３に対する前記ブロック片５の抵触固定が解除される。また導電体４に孔部４１が設けられており、孔部４１内にねじりバネ４２が収容されているため、前記導電体４は元の位置に旋回して戻り、さらに、棒体３が元の位置に旋回して戻るため、棒体３の嵌合部３１がボルト２６を離れ、棒体３が下降し、このとき前記第一導体２１と前記第二導体２２が電気的に切断される。使用者が新しいマガジン６を取り付けるときは、再度ハンドルを引いてハンドルバー２５を作動させる必要があり、本考案は本物の銃の作動方式を模擬する実用性と進歩性を備えている。
【００２０】
以上の説明は本考案の最良の実施例に基づくものであり、本考案の特許範囲を制限するものではなく、本考案の明細書及び図面の内容を運用した簡易な修飾や同等効果の構造変化はすべて本考案の特許範囲内に含まれるものとする。
【００２１】
上述をまとめると、本考案の射撃訓練用実物模擬構造は使用時にその効果と目的を確実に達することができるため、本考案は実用性に優れた創作であり、実用新案登録出願の要件を満たしているため、法に基づきここに出願を提出するものである。
【図面の簡単な説明】
【００２２】
【図１】本考案の最良の実施例の立体図である。
【図２】本考案の最良の実施例の立体分解図である。
【図３】本考案の最良の実施例の側面図である。
【図４】本考案の最良の実施例の動作を示す立体図１である。
【図５】本考案の最良の実施例の動作を示す立体図２である。
【図６】本考案の最良の実施例の動作を示す立体図３である。
【図７】本考案の最良の実施例の動作を示す立体図４である。
【図８】本考案の最良の実施例の動作を示す立体図５である。
【図９】本考案の最良の実施例の動作を示す立体図６である。
【図１０】本考案の最良の実施例の動作を示す立体図７である。
【図１１】本考案の最良の実施例の動作を示す立体図８である。
【符号の説明】
【００２３】
１        実物模擬構造
２        銃身
２１      第一導体
２２      第二導体
２３      柱体
２４      横棒
２５      ハンドルバー
２６      ボルト
３        棒体
３１      嵌合部
３２      フランジ部
４        導電体
４１      孔部
４２      ねじりバネ
４３      接触端
４４      抵触端
４５      固定棒
５        ブロック片
５１      軸心
５２      座体
６        マガジン
６１      押し棒
【図１】
0003144794.tif 000003
【図２】
0003144794.tif 000004
【図３】
0003144794.tif 000005
【図４】
0003144794.tif 000006
【図５】
0003144794.tif 000007
【図６】
0003144794.tif 000008
【図７】
0003144794.tif 000009
【図８】
0003144794.tif 000010
【図９】
0003144794.tif 000011
【図１０】
0003144794.tif 000012
【図１１】
0003144794.tif 000013